(57)【要約】      （修正有）【課題】メンテナンス費用を抑制することができるシール部材の押さえ構造、血液浄化装置及びキャップを提供する。【解決手段】シール部材５の押さえ構造１は、挿入開口３０１を有し、挿入開口３０１の側面に第１の嵌合部３０７が設けられた部材と、部材の挿入開口３０１に配置されたシール部材と、挿入開口３０１に取り付けられ、挿入開口３０１から外に出る方向の第１の力Ｆ１がシール部材に作用した場合、第１の力が作用するシール部材から受けた第２の力Ｆ２によって第１の嵌合部３０７との嵌め合いにより形成された接触面積が増加する第２の嵌合部４８を有するキャップ４と、を備えて構成されている。【選択図】図４
2020089588.tif 000002
【特許請求の範囲】
【請求項１】
挿入開口を有し、前記挿入開口の側面に第１の嵌合部が設けられた嵌合部材と、
前記嵌合部材の前記挿入開口に配置されたシール部材と、
前記挿入開口に取り付けられ、前記挿入開口から外に出る方向の第１の力が前記シール部材に作用した場合、前記第１の力が作用する前記シール部材から受けた第２の力によって前記第１の嵌合部と嵌り合う第２の嵌合部を有するキャップと、
を備えたシール部材の押さえ構造。
【請求項２】
前記キャップは、前記シール部材と接触する部分に、前記第１の力の方向を前記第２の力の方向に変換する斜面を有する、
請求項１に記載のシール部材の押さえ構造。
【請求項３】
前記第１の嵌合部は、前記挿入開口の前記側面から凸状に突出する第１の凸部、及び前記側面が凹状に凹む第１の凹部が前記挿入開口の挿入方向上流側から順に並ぶ形状を有し、
前記第２の嵌合部は、前記第１の凸部と嵌り合う第２の凹部、及び前記第１の凹部との嵌め合いにおいて前記挿入開口の挿入方向下流側に向かうにつれて隙間が増加する第２の凸部を有する、
請求項１又は２に記載のシール部材の押さえ構造。
【請求項４】
前記第１の嵌合部は、前記第１の凸部及び前記第１の凹部によってＳ字形状が形成され、
前記第２の嵌合部は、前記第２の凹部及び前記第２の凸部によってＳ字形状が形成される、
請求項３に記載のシール部材の押さえ構造。
【請求項５】
前記挿入開口の縁に直交するように切断した断面において、
前記嵌合部材の上面を基準とした基準線と、前記第１の力の方向を前記第２の力の方向に変換する前記キャップの斜面の外形線を延長した直線と、のなす第１の角度θ１、及び
前記基準線と、Ｓ字形状を形成する前記第１の凸部と前記第１の凹部の変曲点に接する直線と、のなす第２の角度θ２は、
３０°≦θ１≦６０°を満たすと共に、θ１≦θ２≦９０°を満たす、
請求項３又は４に記載のシール部材の押さえ構造。
【請求項６】
前記挿入開口の縁に直交するように切断した断面において、
前記嵌合部材の上面を基準とした基準線と、Ｓ字形状を形成する前記第１の凸部と前記第１の凹部の変曲点に接する直線と、のなす第２の角度θ２、及び前記基準線と、Ｓ字形状を形成する前記第２の凹部と前記第２の凸部の変曲点に接する直線と、のなす第３の角度θ３は、
θ２≦θ３≦９０°を満たす、
請求項３乃至５のいずれか１項に記載のシール部材の押さえ構造。
【請求項７】
前記嵌合部材は、中空形状のハウジング、前記ハウジング内を第１の空間と第２の空間に分けるダイヤフラム、及び前記第１の空間に流入する流体の圧力による前記ダイヤフラムの変形に伴って前記第２の空間の気体を出力する出力ポートを有するチャンバの前記出力ポートと接続される継手であり、
前記シール部材は、前記出力ポートの側面と前記継手の側面に挟まれ、前記チャンバと前記継手を接続したり、抜いたりする際に回転しながら移動する、
請求項１乃至６のいずれか１項に記載のシール部材の押さえ構造。
【請求項８】
請求項１乃至７のいずれか１項に記載の押さえ構造を有し、
人間の血液を浄化する血液浄化装置。
【請求項９】
嵌合対象である嵌合部材の挿入開口に配置されたシール部材が前記挿入開口から外に出る方向の第１の力を受けた場合、前記第１の力が作用する前記シール部材から受けた第２の力によって前記嵌合部材に設けられた第１の嵌合部と嵌り合う第２の嵌合部を備えたキャップ。
【発明の詳細な説明】
【技術分野】
【０００１】
本発明は、シール部材の押さえ構造、血液浄化装置及びキャップに関する。
【背景技術】
【０００２】
従来の技術として、透析治療（血液浄化治療）において採取した患者の血液を体外循環させて再び体内に戻す血液回路における血液の圧力を検出するために用いられる圧力ポッドが知られている（例えば、特許文献１参照。）。
【０００３】
この圧力ポッドは、ダイヤフラムによって内部が通過流体側と気体側とに分かれており、気体側に圧力センサが接続されている。圧力センサは、通過流体である血液の圧力によるダイヤフラムの動きによって生じる圧力を検出する。血液回路における血液の圧力は、圧力センサが検出した圧力に基づいて検出することができる。
【先行技術文献】
【特許文献】
【０００４】
【特許文献１】特表２０１７−５０４３８９号公報
【発明の概要】
【発明が解決しようとする課題】
【０００５】
このような従来の圧力ポッドは、血液が内部を循環することから一度使用すると破棄される。そこで例えば、従来の圧力ポッドがシール部材を介在させて圧力センサと接続される場合、圧力ポッドを接続したり、抜いたりするので、所定のサイクルでシール部材を交換する必要がある。シール部材の交換作業性が悪いと、シール部材を工具で傷つけたり、当該作業にかかる時間が増えたりする可能性がある。
【０００６】
従って本発明の目的は、メンテナンス性のよいシール部材の押さえ構造、血液浄化装置及びキャップを提供することにある。
【課題を解決するための手段】
【０００７】
上記課題を解決するため、請求項１に記載の発明のシール部材の押さえ構造は、挿入開口を有し、前記挿入開口の側面に第１の嵌合部が設けられた嵌合部材と、
前記嵌合部材の前記挿入開口に配置されたシール部材と、
前記挿入開口に取り付けられ、前記挿入開口から外に出る方向の第１の力が前記シール部材に作用した場合、前記第１の力が作用する前記シール部材から受けた第２の力によって前記第１の嵌合部と嵌り合う第２の嵌合部を有するキャップと、
を備える。
【０００８】
請求項２に記載の発明は、前記キャップは、前記シール部材と接触する部分に、前記第１の力の方向を前記第２の力の方向に変換する斜面を有する、
請求項１に記載のシール部材の押さえ構造である。
【０００９】
請求項３に記載の発明は、前記第１の嵌合部は、前記挿入開口の前記側面から凸状に突出する第１の凸部、及び前記側面が凹状に凹む第１の凹部が前記挿入開口の挿入方向上流側から順に並ぶ形状を有し、
前記第２の嵌合部は、前記第１の凸部と嵌り合う第２の凹部、及び前記第１の凹部との嵌め合いにおいて前記挿入開口の挿入方向下流側に向かうにつれて隙間が増加する第２の凸部を有する、
請求項１又は２に記載のシール部材の押さえ構造である。
【００１０】
請求項４に記載の発明は、前記第１の嵌合部は、前記第１の凸部及び前記第１の凹部によってＳ字形状が形成され、
前記第２の嵌合部は、前記第２の凹部及び前記第２の凸部によってＳ字形状が形成される、
請求項３に記載のシール部材の押さえ構造である。
【００１１】
請求項５に記載の発明は、前記挿入開口の縁に直交するように切断した断面において、
前記嵌合部材の上面を基準とした基準線と、前記第１の力の方向を前記第２の力の方向に変換する前記キャップの斜面の外形線を延長した直線と、のなす第１の角度θ１、及び
前記基準線と、Ｓ字形状を形成する前記第１の凸部と前記第１の凹部の変曲点に接する直線と、のなす第２の角度θ２は、
３０°≦θ１≦６０°を満たすと共に、θ１≦θ２≦９０°を満たす、
請求項３又は４に記載のシール部材の押さえ構造である。
【００１２】
請求項６に記載の発明は、前記挿入開口の縁に直交するように切断した断面において、
前記嵌合部材の上面を基準とした基準線と、Ｓ字形状を形成する前記第１の凸部と前記第１の凹部の変曲点に接する直線と、のなす第２の角度θ２、
前記基準線と、Ｓ字形状を形成する前記第２の凹部と前記第２の凸部の変曲点に接する直線と、のなす第３の角度θ３は、
θ２≦θ３≦９０°を満たす、
請求項３乃至５のいずれか１項に記載のシール部材の押さえ構造である。
【００１３】
請求項７に記載の発明は、前記嵌合部材は、中空形状のハウジング、前記ハウジング内を第１の空間と第２の空間に分けるダイヤフラム、及び前記第１の空間に流入する流体の圧力による前記ダイヤフラムの変形に伴って前記第２の空間の気体を出力する出力ポートを有するチャンバの前記出力ポートと接続される継手であり、
前記シール部材は、前記出力ポートの側面と前記継手の側面に挟まれ、前記チャンバと前記継手を接続したり、抜いたりする際に回転しながら移動する、
請求項１乃至６のいずれか１項に記載のシール部材の押さえ構造である。
【００１４】
請求項８に記載の血液浄化装置は、請求項１乃至７のいずれか１項に記載の押さえ構造を有し、
人間の血液を浄化する。
【００１５】
請求項９に記載の発明のキャップは、嵌合対象である嵌合部材の挿入開口に配置されたシール部材が前記挿入開口から外に出る方向の第１の力を受けた場合、前記第１の力が作用する前記シール部材から受けた第２の力によって前記嵌合部材に設けられた第１の嵌合部と嵌り合う第２の嵌合部を備える。
【発明の効果】
【００１６】
請求項１、８及び９の発明によれば、メンテナンス時におけるシール部材の交換作業性が向上し、当該作業時におけるシール面の傷を抑制することができる。
【００１７】
請求項２の発明によれば、挿入開口からのシール部材の抜けを防止することができる。
【００１８】
請求項３の発明によれば、挿入開口からのシール部材の抜けを防止すると共にキャップの取り外しが容易となる。
【００１９】
請求項４の発明によれば、キャップの取り外しがさらに容易となる。
【００２０】
請求項５の発明によれば、キャップが意図せず外れることが抑制される。
【００２１】
請求項６の発明によれば、キャップの取り外しが容易となる。
【００２２】
請求項７の発明によれば、シール部材の耐久性を向上させることができる。
【図面の簡単な説明】
【００２３】
【図１】図１（ａ）は、第１の実施の形態に係るシール部材の押さえ構造が採用された血液浄化装置の一例を示す概略図であり、図１（ｂ）は、血液浄化装置の構成の一例を示す模式図である。
【図２】図２（ａ）は、第１の実施の形態に係る接続部が接続されたチャンバの一例を示す斜視図であり、図２（ｂ）は、シール部材の押さえ構造の一例を示す概略図である。
【図３】図３（ａ）は、第１の実施の形態に係るチャンバの断面の一例を示す断面図であり、図３（ｂ）は、接続部及びＯリングの一例を示す断面図である。
【図４】図４（ａ）は、第１の実施の形態に係る接続構造のチャンバを挿入する際のＯリングの位置の一例を説明するための断面図であり、図４（ｂ）は、チャンバを抜く際のＯリングの位置の一例を説明するための断面図である。
【図５】図５（ａ）は、第１の実施の形態に係るキャップの一例を説明するための断面図であり、図５（ｂ）は、キャップの一例を説明するための断面を拡大した断面図である。
【図６】図６（ａ）は、第１の実施の形態に係るキャップの上面図の一例であり、図６（ｂ）は、変形例に係るキャップの上面図の一例である。
【図７】図７は、第１の実施の形態に係るＯリングの交換の一例を説明するための概略図である。
【図８】図８（ａ）は、第１の実施の形態に係るＯリングのつぶし率の一例について説明するための概略図であり、図８（ｂ）は、Ｏリングが回転しない場合のダメージを受ける領域の一例について説明するための模式図であり、図８（ｃ）は、Ｏリングが回転する場合のダメージを受ける領域の一例について説明するための模式図である。
【図９】図９（ａ）〜図９（ｄ）は、第１の実施の形態に係る接続構造におけるチャンバと接続部の接続の一例を示す概略図である。
【図１０】図１０（ａ）〜図１０（ｃ）は、第１の実施の形態に係る接続構造におけるチャンバと接続部の接続の一例を示す断面図である。
【図１１】図１１（ａ）は、第２の実施の形態に係るキャップの一例を示す概略図であり、図１１（ｂ）は、キャップの断面の一例の拡大図であり、図１１（ｃ）は、第３の実施の形態に係る第１の嵌合部と第２の嵌合部の一例を示す概略図である。
【図１２】図１２は、第４の実施の形態に係る血液浄化装置の構成の一例を示す模式図である。
【図１３】図１３（ａ）は、第５の実施の形態に係る接続構造の一例を示す斜視図であり、図１３（ｂ）は、キャップの一例を示す断面図であり、図１３（ｃ）は、継手の一例を示す側面図である。
【図１４】図１４（ａ）は、第５の実施の形態に係るキャップが取り付けられた継手の一例を示す断面図であり、図１４（ｂ）は、チャンバを接続部に接続した一例を示す断面図である。
【発明を実施するための形態】
【００２４】
[第１の実施の形態]
（血液浄化装置９の概要）
図１（ａ）は、第１の実施の形態に係るシール部材の押さえ構造が採用された血液浄化装置の一例を示す概略図であり、図１（ｂ）は、血液浄化装置の構成の一例を示す模式図である。図２（ａ）は、第１の実施の形態に係る接続部が接続されたチャンバの一例を示す斜視図であり、図２（ｂ）は、シール部材の押さえ構造の一例を示す概略図である。図３（ａ）は、第１の実施の形態に係るチャンバの断面の一例を示す断面図であり、図３（ｂ）は、接続部及びＯリングの一例を示す断面図である。図４（ａ）は、第１の実施の形態に係る接続構造のチャンバを挿入する際のＯリングの位置の一例を説明するための断面図であり、図４（ｂ）は、チャンバを抜く際のＯリングの位置の一例を説明するための断面図である。なお以下に記載する実施の形態に係る各図において、図形間の比率は、実際の比率とは異なる場合がある。数値範囲を示す「Ａ〜Ｂ」は、Ａ以上Ｂ以下の意味で用いるものとする。
【００２５】
図１（ａ）に示す血液浄化装置９は、透析治療を行うためのものである。この血液浄化装置９は、例えば、図１（ａ）及び図１（ｂ）に示すように、圧力検出部１０、動脈側血液回路１１と、静脈側血液回路１２と、ダイアライザ１３と、透析液導入ライン１４と、透析液排出ライン１５と、複式ポンプ１６とを備えている。このうち、圧力検出部１０、透析液導入ライン１４、透析液排出ライン１５、及び複式ポンプ１６は、本体９０として構成される。本体９０には、動脈側血液回路１１、静脈側血液回路１２、及びダイアライザ１３が着脱可能に装着される。
【００２６】
動脈側血液回路１１は、患者の動脈に穿刺される動脈側穿刺針１１０と、動脈側穿刺針１１０が接続されるコネクタ１１１と、バルブの開閉により血液の流れを制御するクランプ１１２と、しごき型ポンプである血液ポンプ１１３と、動脈側血液回路１１に接続された圧力検出部１０と、を備えて概略構成されている。この動脈側血液回路１１は、ダイアライザ１３の血液導入口１３ａに接続されている。
【００２７】
静脈側血液回路１２は、患者の静脈に穿刺される静脈側穿刺針１２０と、静脈側穿刺針１２０が接続されるコネクタ１２１と、この血液回路を流れる流体が血液であるか判別する血液判別部１２２と、バルブの開閉により血液の流れを制御するクランプ１２３と、この血液回路に流れる流体に混入した気泡を検出する気泡検出部１２４と、流体に混入した気泡を分離する静脈チャンバ１２５と、静脈側血液回路１２に接続された圧力検出部１０と、を備えて概略構成されている。この静脈側血液回路１２は、ダイアライザ１３の血液導出口１３ｂに接続されている。
【００２８】
患者の血液は、動脈側穿刺針１１０及び静脈側穿刺針１２０を穿刺した状態で血液ポンプ１１３を可動させると、動脈側血液回路１１を通ってダイアライザ１３に至った後、ダイアライザ１３によって血液浄化処理が行われ、静脈側血液回路１２を通って患者の体内に戻るようになっている。
【００２９】
ダイアライザ１３は、血液導入口１３ａ、血液導出口１３ｂ、透析液導入口１３ｃ及び透析液導出口１３ｄを備えている。透析液導入口１３ｃ及び透析液導出口１３ｄは、血液浄化装置９の本体９０から伸びる透析液導入ライン１４及び透析液排出ライン１５にそれぞれ接続されている。
【００３０】
ダイアライザ１３は、複数の中空糸を有し、この中空糸によって血液を浄化するように構成されている。またダイアライザ１３は、血液浄化膜を介して血液導入口１３ａと血液導出口１３ｂを繋ぐ血液流路と、透析液導入口１３ｃと透析液導出口１３ｄを繋ぐ透析液流路と、が形成されている。血液浄化膜を構成する中空糸は、外周面と内周面とを貫通した微小な孔が形成されて中空糸膜を形成しており、この中空糸膜を介して血液中の不純物などが透析液内に透過する。
【００３１】
複式ポンプ１６は、透析液導入ライン１４及び透析液排出ライン１５に跨って血液浄化装置９の本体９０に配置されている。また透析液排出ライン１５においては、複式ポンプ１６をバイパスするように除水ポンプ１７が接続されている。この除水ポンプ１７は、ダイアライザ１３を流れる患者の血液から水分を除去するために設けられている。
【００３２】
透析液導入ライン１４の一端は、ダイアライザ１３に接続され、他端は、所定濃度の透析液を調整する濃度調整手段に接続されている。なお、濃度調整手段は、血液浄化装置９、又は血液浄化装置に透析液を供給する透析液供給装置に配置される。また透析液排出ライン１５の一端は、ダイアライザ１３に接続され、他端は、排液手段に接続されている。透析液は、透析液供給装置から透析液導入ライン１４を通ってダイアライザ１３に至った後、透析液排出ライン１５を通って排液手段に送られる。
【００３３】
動脈側血液回路１１及び静脈側血液回路１２には、圧力検出部１０が接続されている。この圧力検出部１０は、動脈側血液回路１１及び静脈側血液回路１２に流れる血液の圧力ＰＲを検出するように構成されている。この圧力検出部１０は、血液浄化装置９の本体９０のパネル１０１内に配置された圧力センサ１０ａと、接続部３と、がチューブ１０ｂによって接続されて構成されている。
【００３４】
この接続部３は、シール部材の押さえ構造１を有している。具体的には、シール部材の押さえ構造１は、図２（ａ）〜図３（ｂ）に示すように、挿入開口３０１を有し、挿入開口３０１の側面３０２に第１の嵌合部３０７が設けられた部材と、部材の挿入開口３０１に配置されたシール部材と、挿入開口３０１に取り付けられ、挿入開口３０１から外に出る方向の第１の力がシール部材に作用した場合、第１の力が作用するシール部材から受けた第２の力によって第１の嵌合部３０７との嵌め合いにより形成された接触面積が増加する第２の嵌合部４８を有するキャップ４と、を備えて構成されている。
【００３５】
本実施の形態の部材は、継手３０である。この継手３０は、チャンバ２の出力ポート２７と接続される。チャンバ２は、図３（ａ）に示すように、中空形状のハウジング２０、ハウジング２０内を第１の空間２３と第２の空間２４に分けるダイヤフラム２５、及び第１の空間２３に流入する流体（血液Ｒ）の圧力によるダイヤフラム２５の変形に伴って第２の空間２４の気体Ｋを出力する出力ポート２７を備えている。なお本実施の形態の流体は、血液であるがこれに限定されず、透析液などの他の流体であっても良い。また圧力検出部１０は、血液Ｒの圧力ＰＲによるダイヤフラム２５の変形に基づく気体Ｋの圧力ＰＫを検出することで、間接的に血液Ｒの圧力ＰＲを検出するように構成されている。
【００３６】
本実施の形態のシール部材は、リング形状を有するＯリング５であるがこれに限定されず、断面が円形状であり、接続したり、抜いたりする際、つまり挿抜する際に回転可能であれば良い。なおＯリング５は、チャンバ２の挿抜方向に沿って回転しながら移動する。具体的には、Ｏリング５は、チャンバ２が挿入される際、図４（ａ）の紙面において内側が挿入方向に移動するように、つまり反時計回りに回転する。そしてＯリング５は、チャンバ２が抜かれる際、図４（ｂ）の紙面において内側が抜去方向に移動するように、つまり時計回りに回転する。この挿抜方向とは、挿入方向が図４（ａ）の紙面において上から下方向（左の矢印の方向）であり、抜去方向が図４（ｂ）の紙面において下から上方向（左の矢印）である。なお図４（ａ）及び図４（ｂ）の中央の矢印は、Ｏリング５が回転しながら移動する方向を示している。
【００３７】
（チャンバ２の構成）
チャンバ２は、図２（ａ）及び図３（ａ）に示すように、第１のハウジング２１及び第２のハウジング２２によってハウジング２０が形成されている。第１のハウジング２１には、出力ポート２７が一体に形成されている。第２のハウジング２２には、ドーム形状を有する上面２２０に接続ポート２２１及び接続ポート２２２が一体に形成されている。
【００３８】
このハウジング２０は、射出成型性に優れ、また機械加工性が良く、さらに表面粗さを調整し易い材料を用いて形成される。またハウジング２０は、例えば、超音波溶着が可能な材料を用いて形成される。そしてハウジング２０は、ヒト体液が触れる可能性があるので、生体毒性がなく、絶縁性の高い材料を用いて形成される。従ってハウジング２０は、例えば、ポリカーボネートを用いて形成される。なおチャンバ２は、血液が第１の空間２３に流入することから再利用せず、使い捨てとなる。
【００３９】
第１のハウジング２１は、その内部の底面２１０に流路２１１が形成されている。またこの底面２１０は、流路２１１上にフィルタ２６が配置されている。このフィルタ２６は、第２の空間２４内に流入した血液などが流路２１１に流れ込まないように設けられている。流路２１１は、第２の空間２４内の気体Ｋが流れる通路である。
【００４０】
また第１のハウジング２１は、底面２８０を有する筒形状の挿入部２８を有し、底面２８０から突出するように出力ポート２７が設けられている。出力ポート２７は、筒形状の一例として円筒形状を有し、その内部が流路２１１となっている。また出力ポート２７は、先端にテーパー処理が施されてテーパー面２７１が形成されている。なお、出力ポート２７の先端は、テーパー面に限らず、例えばＲ形状であっても良い。また出力ポート２７は、円筒形状に限定されず、角筒形状であっても良い。
【００４１】
挿入部２８は、出力ポート２７を囲む円筒形状を有し、出力ポート２７と共に一体に形成されている。挿入部２８の開口２８１には、継手３０が挿入される。
【００４２】
さらに第１のハウジング２１は、例えば、図２（ａ）に示すように、挿入部２８の側面２８２から突出する突起２９が設けられている。この突起２９は、例えば、図２（ｂ）に示す接続部３のクランク溝３２に挿入される。突起２９は、接続部３のクランク溝３２の数に応じて２つ形成されている。なお変形例として、突起２９が接続部３側に設けられ、クランク溝３２が第１のハウジング２１側に設けられても良い。
【００４３】
第２のハウジング２２の接続ポート２２１及び接続ポート２２２は、動脈側血液回路１１又は静脈側血液回路１２に接続される。動脈側血液回路１１及び静脈側血液回路１２を流れる血液Ｒは、例えば、接続ポート２２１から第１の空間２３に流入してダイヤフラム２５に圧力ＰＲを付加し、接続ポート２２２から流出する。
【００４４】
ダイヤフラム２５は、例えば、図３（ａ）に示すように、ドーム形状を有し、その端部が第１のハウジング２１及び第２のハウジング２２に挟まれることで、ハウジング２０に取り付けられている。ダイヤフラム２５は、第１の空間２３及び第２の空間２４の圧力変化に追従して変位又は変形可能な柔軟な材料を用いて形成されている。ダイヤフラム２５は、例えば、血液Ｒと気体Ｋとを遮断することが可能なシリコンゴムなどの合成ゴムシートや塩化ビニルシートなどの可撓性シートを用いて形成される。
【００４５】
（接続部３の構成）
接続部３は、例えば、図２（ｂ）及び図３（ｂ）に示すように、底面３１０を有する筒形状のガイド部３１を有し、底面３１０から突出するように継手３０が設けられ、ガイド部３１の開口３１１にチャンバ２の挿入部２８が挿入されてチャンバ２と接続するように構成されている。なお本実施の形態の継手３０とガイド部３１は、別の部材として形成されているがこれに限定されず、一体で形成されても良い。
【００４６】
接続部３は、血液浄化装置９に取り付けられているので、チャンバ２と異なり、使い捨てされない。そこで接続部３は、防錆性、剛性、耐薬品性、対候性が高い材料を用いて形成される。そのため接続部３の継手３０は、例えば、ＳＵＳ３１６やＳＵＳ３０４などの硬質材料であるステンレス鋼を用いて細長い円筒形状に形成されているがこれに限定されず、非金属であっても良い。またガイド部３１は、継手３０と同様に、ＳＵＳ３１６やＳＵＳ３０４などのステンレス鋼を用いて形成されている。なお本実施の形態の継手３０は、ガイド部３１の挿入孔３１５に圧入されている。また継手３０は、円筒形状に限定されず、角筒形状であっても良い。
【００４７】
継手３０は、例えば、図３（ｂ）に示すように、接続相手（出力ポート２７）と対向する端部３００に設けられ、Ｏリング５の抜け止めとなると共に、接続相手を抜いた後のＯリング５の位置を規定するキャップ４が取り付けられている。また継手３０は、キャップ４に対向し、キャップ４とＯリング５の直径Ｗより離れた底面３０３を有している。
【００４８】
具体的には、継手３０は、チャンバ２と対向する端部３００にＯリング５が挿入されると共に気体Ｋの流路３０５と繋がる挿入開口３０１を有している。この挿入開口３０１の先端側には、キャップ４が取り付けられる。この挿入開口３０１は、出力ポート２７の挿入方向に直角な断面の形状が円形であり、流路３０５の付近で半径が小さくなる先端領域３０４を有し、この先端領域３０４と流路３０５とが繋がっている。この先端領域３０４には、出力ポート２７の端部２７２が挿入される。また継手３０の終端部３１４は、圧力検出部１０の圧力センサ１０ａに繋がれたチューブ１０ｂが接続されている。
【００４９】
継手３０の端部３００の上部は、外側にテーパー面３０６が形成され、内側に第１の嵌合部３０７が形成されている。テーパー面３０６は、キャップ４との間にスペースを作るために形成されている。このスペースに工具を差し込んでガイド部３１を支点にてこの原理を用いることにより、キャップ４を継手３０から容易に取り外すことができる。
【００５０】
第１の嵌合部３０７は、挿入開口３０１の側面３０２から凹んだ第１の凹部３０７ａと、上部が側面３０２よりも直径が大きく、第１の凹部３０７ａより突出する第１の凸部３０７ｂと、により構成され、第１の凹部３０７ａと第１の凸部３０７ｂとがＳ字形状となるように滑らかな曲線で繋がっている。この第１の嵌合部３０７は、挿入開口３０１の周方向に渡って形成されている。
【００５１】
言い換えるなら第１の嵌合部３０７は、挿入開口３０１の側面３０２から凸状に突出する第１の凸部３０７ｂ、及び側面３０２が凹状に凹む第１の凹部３０７ａが挿入開口３０１の上側から順に並ぶ形状を有している。
【００５２】
ガイド部３１は、上面３１２の開口３１１側にテーパー面３１３が設けられている。ガイド部３１の上面３１２は、図３（ｂ）に示すように、キャップ４よりも高く位置している。従って掃除などの際に布などが誤ってキャップ４に触れて継手３０から外れるトラブルが少ない。
【００５３】
またガイド部３１は、チャンバ２の挿入部２８の挿入を案内すると共にチャンバ２が挿入され、継手３０と出力ポート２７がＯリング５を介して接続された状態を保持するためのクランク溝３２を有している。
【００５４】
このクランク溝３２は、図２（ａ）及び図２（ｂ）に示すように、チャンバ２を挿入する方向に沿って形成された縦溝３２０と、縦溝３２０に対して直角方向に形成された横溝３２１と、を備えている。このクランク溝３２は、継手３０を挟んで対向するように設けられている。
【００５５】
チャンバ２の突起２９が縦溝３２０に挿入され、出力ポート２７と継手３０とが接続された後、図２（ｂ）の紙面左方向にチャンバ２を回転させて突起２９を横溝３２１に嵌め込めば、チャンバ２と接続部３との接続がロックされる。なおガイド部３１の開口３１１の側面３１１ａには、突出する爪部３１１ｂが形成され、チャンバ２の第１のハウジング２１に設けられた凸部を乗り越えることで、接続部３に対するチャンバ２の回転をロックする。
【００５６】
（キャップ４の構成）
図５（ａ）は、第１の実施の形態に係るキャップの一例を説明するための断面図であり、図５（ｂ）は、キャップの一例を説明するための断面を拡大した断面図である。図６（ａ）は、第１の実施の形態に係るキャップの上面図の一例であり、図６（ｂ）は、変形例に係るキャップの上面図の一例である。図７は、第１の実施の形態に係るＯリングの交換の一例を説明するための概略図である。
【００５７】
キャップ４は、例えば、弾性、靱性、耐薬品性、耐候性が高い材料を用いて形成される。本実施の形態のキャップ４は、例えば、ポリプロピレンを用いて形成されている。
【００５８】
キャップ４は、例えば、図４（ａ）〜図５（ｂ）に示すように、上部４０と下部４１とを備えている。上部４０は、円板形状を有している。上部４０は、挿入開口４５の上側の角が丸く形成されている。
【００５９】
下部４１の挿入開口４５側には、上部４０と段差４６が形成されている。そして下部４１は、Ｏリング５が接触する端部が斜面４７となっている。この斜面４７は、図４（ｂ）に示すように、Ｏリング５に作用する第１の力Ｆ１の方向を第２の力Ｆ２の方向に変換する。またキャップ４は、継手３０の第１の嵌合部３０７と嵌め合う第２の嵌合部４８が形成されている。
【００６０】
この第２の嵌合部４８は、第１の凸部３０７ｂと嵌り合う第２の凹部４８ｂ、及び第１の凹部３０７ａとの嵌め合いにおいて挿入開口３０１の下側に向かうにつれて隙間が増加する第２の凸部４８ａを有する。図４（ａ）及び図４（ｂ）に示すように、第１の嵌合部３０７の第１の凹部３０７ａと第２の嵌合部４８の第２の凸部４８ａは、嵌り合わず、隙間が生じるようになっている。この隙間は、上述のてこの原理を用いてキャップ４を外す際、キャップ４が撓むのを許容するように設けられている。
【００６１】
キャップ４は、例えば、図４（ａ）及び図４（ｂ）に示すように、上部４０の端面４０ｃが継手３０の側面３０ａ以上であることが好ましい。この上部４０の端面４０ｃが側面３０ａの内側である場合、工具を差し込む隙間７が小さくなり、またキャップ４のたわみ量が小さくなるので、キャップ４を外し難くなる。
【００６２】
Ｏリング５は、後述するように、継手３０の挿入開口３０１の幅よりも大きい外周の直径を有する。従ってＯリング５は、挿入開口３０１に挿入されると、自重で下がり難い。挿入されたチャンバ２を接続部３から抜く場合、図４（ｂ）に矢印で示すように、上向きに出力ポート２７が移動するのにつれてＯリング５も上方向に回転しながら移動する。この移動によってＯリング５には、第１の力Ｆ１が作用する。そしてＯリング５は、キャップ４の斜面４７に接触する。斜面４７は、主に、この斜面４７に垂直な方向、つまり斜面４７の法線方向と逆向きの方向に第１の力Ｆ１を変換して第２の力Ｆ２を生成する。この第２の力Ｆ２は、キャップ４を第１の嵌合部３０７に押し付ける力であってキャップ４の第２の嵌合部４８と第１の嵌合部３０７との嵌め合いが強固となる方向の力である。また第２の力Ｆ２は、キャップ４及びＯリング５が円形であるので、キャップ４に放射状に作用する。従ってシール部材の押さえ構造１は、継手３０からＯリング５が抜け難い構造を有している。
【００６３】
またチャンバ２を接続部３から抜いた後、図４（ａ）に示すように、Ｏリング５は、挿入開口３０１の上部に位置する。そしてチャンバ２を接続部３に挿入する場合、図４（ａ）に矢印で示すように、下向きに出力ポート２７が移動するのにつれてＯリング５も下方向に回転しながら移動し、底面３０３で移動が停止する。
【００６４】
図４（ａ）に示すように、挿入開口３０１の縁に直交するように切断した断面において、第１の角度θ１は、継手３０の上面３０９を基準とした基準線Ｓと、第１の力Ｆ１の方向を第２の力Ｆ２の方向に変換するキャップ４の斜面４７の外形線を延長した直線Ｌと、のなす角度であるとする。また第２の角度θ２は、基準線Ｓと、Ｓ字形状を形成する第１の凸部３０７ｂと第１の凹部３０７ａの変曲点に接する直線Ｍと、のなす角度であるとする。この第１の角度θ１と第３の角度θ３は、
３０°≦θ１≦６０°を満たすと共に、θ１≦θ２≦９０°を満たす。この関係が満たされる場合、チャンバ２を抜去する際、Ｏリング５がキャップ４の斜面４７を押してキャップ４の抜けを防止する。
【００６５】
また図４（ａ）に示すように、挿入開口３０１の縁に直交するように切断した断面において、第３の角度θ３は、図４（ａ）に示すように、基準線Ｓと、Ｓ字形状を形成する第２の凹部４８ｂと第２の凸部４８ａの変曲点に接する直線Ｎと、のなす角度であるとする。この第２の角度θ２と第３の角度θ３は、
θ２≦θ３≦９０°を満たす。この関係が満たされる場合、キャップ４の取り外しが容易となる。
【００６６】
さらに第１の角度θ１及び第２の角度θ２は、第２の力Ｆ２が第１の嵌合部３０７と第２の嵌合部４８を嵌め合わせる方向の力となるため、θ１≦θ２を満たす。
従って第１の角度θ１〜第３の角度θ３は、
３０°≦θ１≦６０°を満たすと共にθ１≦θ２≦θ３≦９０°を満たす。
なお４５°＜θ２≦θ３＜９０°である方がより好ましい。
【００６７】
図５（ｂ）に示すキャップ４は、上部４０の下面４０ｂと第２の凸部４８ａの間の角度θａが上述のθ３に相当し、４５°＜θａ≦９０°を満たしている。また、斜面４７の角度θｂは、上述のθ１に相当し、３０°≦θｂ≦６０°を満たしている。
【００６８】
継手３０の第１の嵌合部３０７とキャップ４の第２の嵌合部４８との接触している長さをδ（嵌合長）とした場合、図４（ａ）に示すように、嵌合長δの値が０．１〜０．２ｍｍを超える、つまりキャップ４のたわみ量がこの嵌合長δの値を超えると、継手３０からキャップ４が外れる。なおこの嵌合長δは、この断面図において接触面積の短手方向の幅を示している。接触面積は、およそこの幅（δ）を有する円環の面積となる。
【００６９】
図７に示すように、キャップ４と継手３０の間に形成された隙間７に工具８の先端８０を差し込み、ガイド部３１を支点として、てこの原理によって力を加えると、キャップ４がたわんでたわみ量が嵌合長δを超えてキャップ４が外れる。
【００７０】
Ｏリング５が上向きの第１の力Ｆ１を受けた際、例えば、図４（ａ）及び図４（ｂ）に示すように、第１の嵌合部３０７と第２の嵌合部４８の接触面積が大きくなり、嵌合長δも大きくなる。従ってキャップ４のたわみ量が、通常よりも大きくないと嵌合長δを超えないので、キャップ４が外れ難くなる。
【００７１】
本実施の形態のキャップ４は、図６（ａ）に示すように、リング形状を有するがこれに限定されない。例えば、図６（ｂ）に示すように、変形例としてのキャップ４は、一部に切欠４９が形成されている。変形例のキャップ４は、この切欠４９の距離を縮めることによって継手３０から外れる。
【００７２】
（Ｏリング５の構成）
図８（ａ）は、第１の実施の形態に係るＯリングのつぶし率の一例について説明するための概略図であり、図８（ｂ）は、Ｏリングが回転しない場合のダメージを受ける領域の一例について説明するための模式図であり、図８（ｃ）は、Ｏリングが回転する場合のダメージを受ける領域の一例について説明するための模式図である。
【００７３】
Ｏリング５は、耐摩耗性、耐薬品性、弾性（低い圧縮永久歪み）、耐候性が高い材料を用いてリング形状に形成される。さらにＯリング５は、低摩擦、つまり摩擦係数μが小さい、つまり摩擦抵抗が小さい材料が良い。本実施の形態のＯリング５は、ゴム硬度が５０°〜８０°であり、ねじれ方向に均等に回転しうるフッ素ゴムを用いてリング形状に形成されている。なおＯリング５は、シール部材としての役割を果たすのであれば材質を問わず、表面をコーティングすることによって摩擦抵抗を低くされても良い。
【００７４】
ここでチャンバ２の出力ポート２７の幅Ｄ１、継手３０の挿入開口３０１の直径Ｄ２、Ｏリング５の直径Ｗを用いると、以下の式（１）に示す関係がある。
０＜１−（Ｄ２−Ｄ１）／２Ｗ＜α・・・（１）
この式（１）を満足する場合、Ｏリング５がシール性を保ちながら挿抜に対して回転して移動する。一般的なつぶし量は、およそ８〜２５％である。閾値αは、出力ポート２７、継手３０及びＯリング５の材料や寸法、表面状態によって異なる値となる。なお、一般的なつぶし量は、およそ８〜２５％であるが（“１−（Ｄ２−Ｄ１）／２Ｗ”では０．０８〜０．２５である）、本実施の形態のつぶし量は、例えば、十数％である。
【００７５】
図８（ｂ）に示すように、Ｏリング５が取り付けられる取付溝３０ｂが固定壁３０ａに形成され、この取付溝３０ｂの第１のストッパ３０ｃ（上面）と第２のストッパ３０ｄ（下面）に接触することによって、Ｏリング５が回転不能に拘束される場合、摺動部材２７ａがＯリング５と接触しながら下方向に移動すると、Ｏリング５が回転できないので、摺動部材２７ａと擦れ合う領域５５が大きなダメージを受ける。
【００７６】
一方図８（ｃ）に示すように、取付溝３０ｂの第１のストッパ３０ｃ（上面）と第２のストッパ３０ｄ（下面）に接触しても、Ｏリング５が回転不能に拘束されない場合、摺動部材２７ａがＯリング５と接触しながら下方向に移動すると、Ｏリング５が回転しながら下に移動するので、ダメージを受ける領域５５が取付溝３０ｂ側と摺動部材２７ａ側とに分散する。つまり、図８（ｃ）に示す領域５５は、図８（ｂ）に示す領域５５と比べて、広範囲となる。従ってＯリング５は、挿抜による表面あれが発生し難くなり、ダメージが小さく、挿抜耐久性が高く長寿化する。
【００７７】
図８（ａ）に示すように、Ｏリング５が移動可能な距離Ｌは、出力ポート２７がＯリング５に接触してから接続が終了するまでのストロークに応じて定められ、Ｏリング５の直径Ｗよりも大きい。なお距離Ｌは、キャップ４の斜面４７の上部から底面３０３までの距離である。
【００７８】
上述のように、チャンバ２は、使い捨てである。しかし接続部３は、血液浄化装置９の本体９０に取り付けられているため、使い捨てとはならない。Ｏリング５は、コスト面から使い捨てするよりも繰り返し使える方が良いので、接続部３に配置されるが何度も挿抜を繰り返すと劣化し、圧力もれが生じて検出精度が低下する。本実施の形態のシール部材の押さえ構造１は、Ｏリング５が転がりながら移動するように構成されているので、検出精度が低下するまでの寿命が長くなる。
【００７９】
（チャンバ２と接続部３の取り付けについて）
図９（ａ）〜図９（ｄ）は、第１の実施の形態に係る接続構造におけるチャンバと接続部の接続の一例を示す概略図である。図１０（ａ）〜図１０（ｃ）は、第１の実施の形態に係る接続構造におけるチャンバと接続部の接続の一例を示す断面図である。接続部３は、血液浄化装置９の本体９０に固定されているとして説明する。
【００８０】
図９（ａ）及び図１０（ａ）に示すように、チャンバ２の挿入部２８の先端を接続部３の開口３１１に挿入し、接続部３の縦溝３２０とチャンバ２の突起２９の位置を合わせる。この際、チャンバ２の挿入部２８は、ガイド部３１にガイドされて開口３１１内に挿入される。
【００８１】
次に図９（ｂ）及び図１０（ｂ）に示すように、チャンバ２を接続部３にさらに押し込むと、出力ポート２７のテーパー面２７１にＯリング５が接触する。シール部材の押さえ構造１は、ガイド部３１によるガイドが始まって出力ポート２７がＯリング５に接触するまでの距離が長い、つまり挿入部２８が開口３１１にガイドされながら移動する距離を十分長くすることにより、チャンバ２の傾きを抑制し、出力ポート２７を垂直にＯリング５の挿入開口５０に挿入することができる。この距離が短い場合、出力ポート２７が傾いてＯリング５に挿入される可能性がある。図１０（ａ）に示すように、ガイド部３１による挿入部２８のガイド開始時において、このガイド開始点からＯリング５の頂点までの距離Ｌ２は、出力ポート２７の先端から挿入部２８の下面２８３までの距離Ｌ１より長い。
【００８２】
次に図９（ｃ）及び図１０（ｃ）に示すように、チャンバ２を接続部３にさらに押し込むと、チャンバ２の下面１８３が接続部３の底面３１０に接触し、挿入が終了する。この際、出力ポート２７がＯリング５を下に押し下げながら移動するので、Ｏリング５が回転しながら下に移動する。そしてＯリング５は、継手３０の底面３０３に接触する。この際、チャンバ２の突起２９が横溝３２１に移動可能となる。
【００８３】
次に図９（ｄ）に示すように、チャンバ２を回転させて突起２９を横溝３２１に移動させ、チャンバ２と接続部３とをロックする。チャンバ２を抜く際は、上記の手順を逆に行う。Ｏリング５は、出力ポート２７の移動に応じて上方向に回転しながら移動し、キャップ４と接触する位置に留まる。
【００８４】
（第１の実施の形態の効果）
本実施の形態に係るシール部材の押さえ構造１は、メンテナンス費用を抑制することができる。具体的には、シール部材の押さえ構造１は、Ｏリング５の抜けをキャップ４で押さえている。このキャップ４は、工具を用いて容易に外すことができるので、Ｏリング５の交換時にかかる時間を短縮することができる。従ってシール部材の押さえ構造１は、メンテナンス時におけるＯリング５の交換作業性が向上し、当該作業時におけるＯリング５のシール面５１（Ｏリング５の表面）の傷を抑制することができる。
【００８５】
シール部材の押さえ構造１は、第１の嵌合部３０７と第２の嵌合部４８とがＳ字形状を有しているので、この構成を採用しない場合と比べて、外しやすくなっている。従ってシール部材の押さえ構造１は、キャップ４が容易に外れてＯリング５を交換することができるので、外し難いものと比べて、Ｏリング５を無理に引き抜こうとして継手３０の側面３０２を工具等で傷つけるようなことが抑制される。
【００８６】
シール部材の押さえ構造１は、チャンバ２を継手３０から取り外す際、Ｏリング５に対して抜ける方向に力が付加されてもキャップ４の第２の嵌合部４８を継手３０の第１の嵌合部３０７に押し付ける力に変換されるので、この構成を採用しない場合と比べて、挿抜の繰り返しによってＯリング５が意図せず外れることが抑制される。
【００８７】
シール部材の押さえ構造１は、チャンバ２を接続部３に挿抜する際、出力ポート２７とＯリング５が接触してＯリング５が回転しながら移動するので、シール部材が回転しない場合と比べて、チャンバ２の挿抜によるＯリング５のダメージが少ない、つまりＯリング５のシール面５１が傷つくようなことが抑制され、挿抜耐久性が高い。そしてシール部材の押さえ構造１は、Ｏリング５の挿抜耐久性が高いので、交換サイクルが長くなり、メンテナンス費用及び運用コストを抑制ことができる。さらにシール部材の押さえ構造１は、Ｏリング５の挿抜耐久性が高いので、シール性が良く、圧力センサ１０ａによる圧力の検出精度が安定する。
【００８８】
血液浄化装置９は、シール部材の押さえ構造１を採用することにより、Ｏリング５の交換サイクルが長くなると共に血液Ｒの圧力の検出精度を長く維持することができるので、メンテナンス費用及び運用コストが抑制されると共に性能を長く維持することができる。
【００８９】
［第２の実施の形態］
第２の実施の形態は、キャップ４の形状が他の実施の形態と異なっている。
【００９０】
図１１（ａ）は、第２の実施の形態に係るキャップの一例を示す概略図であり、図１１（ｂ）は、キャップの断面の一例の拡大図である。なお以下に記載する実施の形態において、第１の実施の形態と同じ機能及び構成を有する部分は、第１の実施の形態と同じ符号を付し、その説明は省略するものとする。
【００９１】
図１１（ａ）及び図１１（ｂ）に示すキャップ４は、上部４０の下面４０ｂと第２の凸部４８ａの間の角度θａが上述のθ３に相当し、４５°＜θａ≦９０°を満たしている。また、斜面４７の角度θｂは、上述のθ１に相当し、３０°≦θｂ≦６０°を満たしている。
【００９２】
本実施の形態のキャップ４は、第１の実施の形態のキャップ４と異なる形状であるが上述の関係を満足しているので、Ｏリング５の抜けを防止すると共にキャップ４の取り外しが容易となる。
【００９３】
[第３の実施の形態]
第３の実施の形態は、第１の嵌合部３０７及び第２の嵌合部４８の形状が異なっている。
【００９４】
図１１（ｃ）は、第３の実施の形態に係る第１の嵌合部と第２の嵌合部の一例を示す概略図である。この第１の嵌合部３０７及び第２の嵌合部４８は、図１１（ｃ）に示すように、Ｓ字形状ではなく直線形状となっている。この第１の嵌合部３０７と第２の嵌合部４８の嵌合は、Ｓ字形状の嵌合よりも外れ難くなっている。
【００９５】
しかし本実施の形態のシール部材の押さえ構造１は、キャップ４と継手３０の間に形成された隙間７に工具８の先端８０を差し込むことができるので、ガイド部３１を支点として、てこの原理を用いて容易に外すことができる。
【００９６】
[第４の実施の形態]
第４の実施の形態は、圧力検出部１０が血液ポンプ１１３の前後に配置されている点で他の実施の形態と異なっている。
【００９７】
図１２は、第４の実施の形態に係る血液浄化装置の構成の一例を示す模式図である。本実施の形態の圧力検出部１０は、図１２に示すように、動脈側血液回路１１のクランプ１１２と血液ポンプ１１３との間に追加で配置、つまり血液ポンプ１１３の前後に配置されている。
【００９８】
従って血液浄化装置９は、血液ポンプ１１３の前後で血液の圧力を検出することができるので、いずれか一方の場合と比べて、血液ポンプ１１３の制御をより適切に行うことができ、血液の圧力管理の精度が向上する。また血液浄化装置９は、圧力検出部１０が増えてもシール部材の押さえ構造１を採用することでＯリング５が長寿命となるので、シール部材の押さえ構造１を採用しない場合と比べて、運用コストを低減することができる。
【００９９】
[第５の実施の形態]
第５の実施の形態は、キャップ４と継手３０とがネジ結合される点で他の実施の形態と異なっている。
【０１００】
図１３（ａ）は、第５の実施の形態に係る接続構造の一例を示す斜視図であり、図１３（ｂ）は、キャップの一例を示す断面図であり、図１３（ｃ）は、継手の一例を示す側面図である。図１４（ａ）は、第５の実施の形態に係るキャップが取り付けられた継手の一例を示す断面図であり、図１４（ｂ）は、チャンバを接続部に接続した一例を示す断面図である。なお図１４（ｂ）に示すチャンバ２は、第１のハウジング２１のみを図示している。
【０１０１】
本実施の形態のシール部材の押さえ構造１は、例えば、図１３（ａ）〜図１４（ｂ）に示すように、キャップ４と継手３０とがネジ結合されている。
【０１０２】
キャップ４は、樹脂材料や金属材料を用いて円筒形状に形成されている。またキャップ４は、図１３（ｂ）に示すように、出力ポート２７が挿入される挿入開口４５と繋がる内部空間４５ａを有している。この内部空間４５ａの内壁４５ｂには、第２の嵌合部４８が設けられている。本実施の形態の第２の嵌合部４８は、メネジ部４８ｃとして構成されている。
【０１０３】
本実施の形態の挿入開口４５は、図１３（ａ）に示すように、六角形状を有している。従ってキャップ４は、この挿入開口４５に応じた六角レンチが挿入され、継手３０に対して回転させることにより、継手３０とネジ結合される。
【０１０４】
なお挿入開口４５の形状は、六角形状に限定されず、チャンバ２の出力ポート２７が挿入可能な形状で、かつ使用されるヘックスローブなどの工具の形状に応じた形状としても良い。またキャップ４は、外形がソケットレンチなどの工具を嵌めることが可能な六角形状などであっても良い。
【０１０５】
継手３０は、図１３（ｃ）に示すように、上側の端部３００に第１の嵌合部３０７が設けられている。本実施の形態の第１の嵌合部３０７は、オネジ部３０７ｃとして構成されている。Ｏリング５が継手３０の挿入開口３０１に配置された後、キャップ４のメネジ部４８ｃがオネジ部３０７ｃに挿入される。そして継手３０に対してキャップ４が回転させられることにより、メネジ部４８ｃとオネジ部３０７ｃとがネジ結合してキャップ４と継手３０とが接続される。
【０１０６】
本実施の形態のシール部材の押さえ構造１は、キャップ４の第２の嵌合部４８と接続部３の第１の嵌合部３０７とがネジ結合によって接続されるので、この構成を採用しない場合と比べて、キャップ４の取り外しが容易となる。またシール部材の押さえ構造１は、キャップ４の挿入開口４５に工具を挿入してキャップ４を取り外すことができるので、この構成を採用しない場合と比べて、キャップ４の取り外しがより容易になると共にガイド部３１などを工具で傷つけることが抑制される。
【０１０７】
以上述べた少なくとも１つの実施の形態のシール部材の押さえ構造１によれば、シール部材交換時の作業性を向上させることができる。
【０１０８】
（実施の形態のまとめ）
次に、以上説明した複数の実施の形態から把握される技術思想について、実施の形態における符号などを援用して記載する。ただし、以下の記載における各符号などは、特許請求の範囲における構成要素を実施の形態に具体的に示した部材等に限定するものではない。
【０１０９】
[１]挿入開口（３０１）を有し、前記挿入開口（３０１）の側面３０２に第１の嵌合部３０７が設けられた嵌合部材（継手３０）と、
前記嵌合部材（継手３０）の前記挿入開口（３０１）に配置されたシール部材（Ｏリング５）と、
前記挿入開口（３０１）に取り付けられ、前記挿入開口（３０１）から外に出る方向の第１の力（Ｆ１）が前記シール部材（Ｏリング５）に作用した場合、前記第１の力（Ｆ１）が作用する前記シール部材（Ｏリング５）から受けた第２の力（Ｆ２）によって前記第１の嵌合部（３０７）と嵌り合う第２の嵌合部（４８）を有するキャップ（４）と、
を備えたシール部材の押さえ構造（１）。
【０１１０】
[２]前記キャップ（４）は、前記シール部材（Ｏリング５）と接触する部分に、前記第１の力（Ｆ１）の方向を前記第２の力（Ｆ２）の方向に変換する斜面（４７）を有する、
[１]に記載のシール部材の押さえ構造（１）。
【０１１１】
[３]前記第１の嵌合部（３０７）は、前記挿入開口（３０１）の前記側面（３０２）から凸状に突出する第１の凸部（３０７ｂ）、及び前記側面（３０２）が凹状に凹む第１の凹部（３０７ａ）が前記挿入開口（３０１）の挿入方向上流側から順に並ぶ形状を有し、
前記第２の嵌合部（４８）は、前記第１の凸部（３０７ｂ）と嵌り合う第２の凹部（４８ｂ）、及び前記第１の凹部（３０７ａ）との嵌め合いにおいて前記挿入開口（３０１）の挿入方向下流側に向かうにつれて隙間が増加する第２の凸部（４８ａ）を有する、
[１]又は[２]に記載のシール部材の押さえ構造（１）。
【０１１２】
[４]前記第１の嵌合部（３０７）は、前記第１の凸部（３０７ｂ）及び前記第１の凹部（３０７ａ）によってＳ字形状が形成され、
前記第２の嵌合部（４８）は、前記第２の凹部（４８ｂ）及び前記第２の凸部（４８ａ）によってＳ字形状が形成される、
[３]に記載のシール部材の押さえ構造（１）。
【０１１３】
[５]前記挿入開口（３０１）の縁に直交するように切断した断面において、
前記嵌合部材（継手３０）の上面（３０９）を基準とした基準線（Ｓ）と、前記第１の力（Ｆ１）の方向を前記第２の力（Ｆ２）の方向に変換する前記キャップ（４）の斜面（４７）の外形線を延長した直線（Ｌ）と、のなす第１の角度θ１、及び前記基準線（Ｓ）と、Ｓ字形状を形成する前記第１の凸部（３０７ｂ）と前記第１の凹部（３０７ａ）の変曲点に接する直線（Ｍ）と、のなす第２の角度θ２、
３０°≦θ１≦６０°を満たすと共に、θ１≦θ２≦９０°を満たす、
[３]又は[４]に記載のシール部材の押さえ構造（１）。
【０１１４】
[６]前記挿入開口（３０１）の縁に直交するように切断した断面において、
前記嵌合部材（継手３０）の上面（３０９）を基準とした基準線（Ｓ）と、Ｓ字形状を形成する前記第１の凸部（３０７ｂ）と前記第１の凹部（３０７ａ）の変曲点に接する直線（Ｍ）と、のなす第２の角度θ２、及び前記基準線（Ｓ）と、Ｓ字形状を形成する前記第２の凹部（４８ｂ）と前記第２の凸部（４８ａ）の変曲点に接する直線（Ｎ）と、のなす第３の角度θ３は、
θ２≦θ３≦９０°を満たす、
[３]乃至[５]のいずれか１項に記載のシール部材の押さえ構造（１）。
【０１１５】
[７]前記嵌合部材は、中空形状のハウジング（２０）、前記ハウジング（２０）内を第１の空間（２３）と第２の空間（２４）に分けるダイヤフラム（２５）、及び前記第１の空間（２３）に流入する流体（血液Ｒ）の圧力による前記ダイヤフラム（２５）の変形に伴って前記第２の空間（２４）の気体（Ｋ）を出力する出力ポート（２７）を有するチャンバ（２）の前記出力ポート（２７）と接続される継手（３０）であり、
前記シール部材（Ｏリング５）は、前記出力ポート（２７）の側面（２７０）と前記継手（３０）の側面（３０２）に挟まれ、前記チャンバ（２）と前記接続部（３）を接続したり、抜いたりする際に回転しながら移動する、
[１]乃至[６]のいずれか１項に記載のシール部材の押さえ構造（１）。
【０１１６】
[８][１]乃至[７]のいずれか１項に記載の押さえ構造を有し、
人間の血液を浄化する血液浄化装置。
【０１１７】
[９]嵌合対象である嵌合部材（継手３０）の挿入開口（３０１）に配置されたシール部材（Ｏリング５）が前記挿入開口（３０１）から外に出る方向の第１の力（Ｆ１）を受けた場合、前記第１の力（Ｆ１）が作用する前記シール部材（Ｏリング５）から受けた第２の力（Ｆ２）によって前記部材（継手３０）に設けられた第１の嵌合部（３０７）と嵌め合う第２の嵌合部（４８）を備えたキャップ（４）。
【０１１８】
以上、本発明のいくつかの実施の形態を説明したが、これらの実施の形態は、一例に過ぎず、特許請求の範囲に係る発明を限定するものではない。これら新規な実施の形態は、その他の様々な形態で実施されることが可能であり、本発明の要旨を逸脱しない範囲で、種々の省略、置き換え、変更などを行うことができる。また、これら実施の形態の中で説明した特徴の組合せの全てが発明の課題を解決するための手段に必須であるとは限らない。さらに、これら実施の形態は、発明の範囲及び要旨に含まれると共に、特許請求の範囲に記載された発明とその均等の範囲に含まれる。
【符号の説明】
【０１１９】
１…シール部材の押さえ構造、２…チャンバ、３…接続部、４…キャップ、５…Ｏリング、７…隙間、８…工具、９…血液浄化装置、１０…圧力検出部、１０ａ…圧力センサ、１０ｂ…チューブ、１１…動脈側血液回路、１２…静脈側血液回路、１３…ダイアライザ、１３ａ…血液導入口、１３ｂ…血液導出口、１３ｃ…透析液導入口、１３ｄ…透析液導出口、１４…透析液導入ライン、１５…透析液排出ライン、１６…複式ポンプ、１７…除水ポンプ、２０…ハウジング、２１…第１のハウジング、２２…第２のハウジング、２３…第１の空間、２４…第２の空間、２５…ダイヤフラム、２６…フィルタ、２７…出力ポート、２７ａ…摺動部材、２８…挿入部、２９…突起、３０…継手、３０ａ…側面、３０ａ…固定壁、３０ｂ…取付溝、３０ｃ…第１のストッパ、３０ｄ…第２のストッパ、３１…ガイド部、３２…クランク溝、４０…上部、４０ｂ…下面、４０ｃ…端面、４１…下部、４５…挿入開口、４５ａ…内部空間、４６…段差、４７…斜面、４８…第２の嵌合部、４８ａ…第２の凸部、４８ｂ…第２の凹部、４８ｃ…メネジ部、４９…切欠、５０…挿入開口、５１…シール面、５５…領域、８０…先端、９０…本体、１０１…パネル、１１０…動脈側穿刺針、１１１…コネクタ、１１２…クランプ、１１３…血液ポンプ、１２０…静脈側穿刺針、１２１…コネクタ、１２２…血液判別部、１２３…クランプ、１２４…気泡検出部、１２５…静脈チャンバ、１８３…下面、２１０…底面、２１１…流路、２２０…上面、２２１…接続ポート、２２２…接続ポート、２７１…テーパー面、２７２…端部、２８０…底面、２８１…開口、２８２…側面、２８３…下面、３００…端部、３０１…挿入開口、３０２…側面、３０３…底面、３０４…先端領域、３０５…流路、３０６…テーパー面、３０７…第１の嵌合部、３０７ａ…第１の凹部、３０７ｂ…第１の凸部、３０７ｃ…オネジ部、３０９…上面、３１０…底面、３１１…開口、３１１ａ…側面、３１１ｂ…爪部、３１２…上面、３１３…テーパー面、３１４…終端部、３１５…挿入孔、３２０…縦溝、３２１…横溝
【図１】
2020089588.tif 000003
【図２】
2020089588.tif 000004
【図３】
2020089588.tif 000005
【図４】
2020089588.tif 000006
【図５】
2020089588.tif 000007
【図６】
2020089588.tif 000008
【図７】
2020089588.tif 000009
【図８】
2020089588.tif 000010
【図９】
2020089588.tif 000011
【図１０】
2020089588.tif 000012
【図１１】
2020089588.tif 000013
【図１２】
2020089588.tif 000014
【図１３】
2020089588.tif 000015
【図１４】
2020089588.tif 000016